(57)【特許請求の範囲】
【請求項１】
互いに重ね合わせられた光を透過可能な複数枚の基板間に黒色塗料層が小黒点として設けられ、前記基板及び黒色塗料層と同一の屈折率又は前記基板及び黒色塗料層と略同一の屈折率で且つ光を透過可能な接着剤により前記黒色塗料層の周囲が満たされていると共に前記各基板同士が接着固定されている眼科装置用黒点板であって、前記基板は３枚設けられ、前記各基板間に黒色塗料層が小黒点としてそれぞれ設けられていることを特徴とする眼科装置用黒点板。
【請求項２】
互いに重ね合わせられた光を透過可能な複数枚の基板間に黒色塗料層が小黒点として設けられ、前記基板及び黒色塗料層と同一の屈折率又は前記基板及び黒色塗料層と略同一の屈折率で且つ光を透過可能な接着剤により前記黒色塗料層の周囲が満たされていると共に前記各基板同士が接着固定されている眼科装置用黒点板であって、 隣接する前記基板の一方に凹部が形成され、該凹部内に前記黒色塗料層が形成されていることを特徴とする眼科装置用黒点板。
【請求項３】
前記小黒点が設けられていない基板には特定波長の光をカットするフィルター板が用いられていることを特徴とする請求項１又は２に記載の眼科装置用黒点板。
【請求項４】
照明光源からの照明光を穴あきミラーを介して被検眼に投影して前記被検眼を照明する照明系と、前記被検眼を撮影する光路中に設けられる撮影絞りを有する撮影系とを備え、前記照明系及び前記撮影系は被検眼と前記穴あきミラーとの間に配設された互いに共用する対物レンズを有し、前記照明系は小黒点が設けられた黒点板を有すると共に、前記対物レンズのレンズ面を反射面と考えたとき、前記撮影絞りの開口部の像が形成される位置と前記小黒点が前記反射面を介して共役に設けられて、前記撮影絞りの開口部の前記像が前記小黒点により覆われるようにした眼科装置において、前記黒点板は、互いに重ね合わせられて接着された少なくとも２枚の光が透過可能な基板と、前記少なくとも２枚の基板間に設けられた小黒点と、前記基板及び黒色塗料層と同一の屈折率又は前記基板及び黒色塗料層と略同一の屈折率であると共に光を透過可能で、且つ前記基板間及び小黒点の周囲を隙間なく満たして各基板同士を接着固定している接着剤とからなる眼科装置であって、 前記小黒点は複数個設けられていると共に、前記複数の小黒点のうち前記照明光源に最も近い小黒点以外の小黒点を有する黒点板は、少なくとも２枚の前記基板と前記基板間に隙間なく設けられた小黒点とから構成されていることを特徴とする眼科装置。
【発明の詳細な説明】
【０００１】
【産業上の利用分野】
この発明は、被検眼の観察・撮影等に用いられる眼科装置に用いる眼科装置用黒点板及びこれを用いた眼科装置に関するものである。
【０００２】
【従来の技術】
この種の眼科装置としては、例えば、眼底カメラ等がある。この眼底カメラでは、照明系の照明光源の照明光を対物レンズから被検眼に投影し、被検眼からの反射光をこの対物レンズ及び撮影絞りを介して観察手段及び撮影手段までそれぞれ案内する観察系及び撮影系を有するのが普通である。
【０００３】
この様な眼底カメラにおいては、対物レンズの表面による反射光が撮影光学系に有害光として混入し、フレヤーやゴーストの原因となり、鮮明な眼底の観察・撮影が行えない。
【０００４】
従来、この様な有害光を除去するために、特公昭６０−５７８５２号公報及び特公昭６１−９７号公報に開示されている様に、対物レンズのレンズ面を反射面と考えたとき、撮影絞りの像が形成される位置と共役な照明系の位置に撮影絞りの開口部の像を覆う小黒点を設けることが考えられている。尚、その小黒点は対物レンズの形状に応じて複数個設けられる場合もある。
【０００５】
この小黒点は、例えば、図８（ａ）に示した様な黒点板６１を照明光学系の光路途中に配設することにより形成している。この黒点板６１は透明ガラス板６２及びこの透明ガラス板６２の中央に設けられた小黒点６３から構成されている。この小黒点６３は、図８（ｂ）に示した様に透明ガラス板６２の中央にエッチングにより円形凹部６４を形成して、この円形凹部６４内に黒色塗料を塗布することにより、透明ガラス板６２の中央に形成したものである。
【０００６】
【発明が解決しようとする課題】
ところが、この様な眼底カメラにおいては、照明光の一部の光束６５が図８（ｂ）に示した様に、凹部６４のエッジの部分で矢印６６で示した様に散乱し、この散乱した光すなわち散乱光が穴あきミラーの中心孔を通り、撮影絞りより撮影系に混入してフレヤーやゴーストの発生原因になるという問題があった。
【０００７】
特に、図１０に示した様に、照明光路途中に黒点ａ，ｂがそれぞれ設けられた黒点板Ａ，Ｂがある場合には、対物レンズ寄りにある黒点板Ａの黒点ａのエッジの散乱光束Ｃの一部があたかも光源よりの黒点板Ｂの黒点ｂを通過してしまうような条件になる光束Ｄ（散乱光束）が存在する。
【０００８】
すなわち、散乱光束Ｄにとっては黒点ｂは存在しないのと同じであるから、この散乱光束Ｄが対物レンズにより反射されて撮影光学系に混入してフレアやゴーストとなる。尚、黒点が複数個ある場合に生ずる散乱光束Ｄによってフレアやゴーストは、対物レンズ表面に反射して直接撮影絞りの開口部を通過するので、黒点が一つのときに生ずるフレアやゴーストに比べて強くなる傾向がある。
【０００９】
また、対物レンズや被検眼等の表面で反射した照明光束の一部が、小黒点までもどって、この小黒点の表面で反射して再び対物レンズの表面等で反射した後、撮影系に混入し、フレヤーやゴーストの発生原因になるという問題もあった。この問題を解決するために、従来は、図９に示した様に小黒点の黒色塗料は透明ガラス板６２と略同じ屈折率の材料が用いられ、更に小黒点６３が設けられた側に反射防止膜６７を設けることも考えられていたが、矢印６８で示した様な反射光を完全に無くすことはできず、０．５〜０．１％程度は存在するものであり、問題となるものであった。
【００１０】
この問題を解決するものとして、例えば特開昭５７−１７７７３４号公報及び実公平３−３５２８４号公報に開示されたような黒点板を有する眼底カメラが考えられている。
【００１１】
この公報には図１１に示した様な平板ガラス７０（公報では番号が１０）が上述したような黒点板として開示されている。しかも、公報において、平板ガラス７０（公報では１０）は一見２枚のガラス板を貼り合わせて構成したように図示されている。しかし、「平板ガラス板７０内の遮光部材（黒点）７０ａのエッジにおいて回折による散乱光が生じるため、遮光部材７０ａの外周端が二次光源となって金環状の光を放っていたこと」及び「この金環状の散乱光が対物レンズでの有害反射光を発生する原因となる場合があること」等が公報には開示されている。
【００１２】
このことを考えると、上述の公報では、「平板ガラス板７０が互いに重ね合せた２枚のガラスで構成され、且つこのガラス板間に遮光部材７０ａが設けられている構成」のみが単に開示されているのみで、遮光部材７０ａのエッジにおける光の散乱防止対策は何等考えていないものである。
【００１３】
従って、従来は、遮光部材７０ａのエッジで発生する金環状の散乱光が対物レンズで有害反射光を発生する原因となるのを防止するために、平板ガラス板７０の前後の表面に補助遮光部材７０ｂ，７０ｃを設けて、この遮光部材７０ｂ，７０ｃにより遮光部材７０ａのエッジで生じていた散乱光を除去するようにしている。
【００１４】
この結果、従来のガラス板間に遮光部材を設けるタイプでは、構造が複雑となるものであった。
【００１５】
そこで、この発明は、フレヤーやゴーストの発生原因になる散乱光や反射が簡単な構成で黒点板のエッジの部分で生じるのを防止できる眼科装置用黒点板及びこれを用いた眼科装置を提供することを目的とするものである。
【００１６】
【課題を解決するための手段】
この目的を達成するため、請求項１の発明は、互いに重ね合わせられた光を透過可能な複数枚の基板間に黒色塗料層が小黒点として設けられ、前記基板及び黒色塗料層と同一の屈折率又は前記基板及び黒色塗料層と略同一の屈折率で且つ光を透過可能な接着剤により前記黒色塗料層の周囲が満たされていると共に前記各基板同士が接着固定されている眼科装置用黒点板であって、前記基板は３枚設けられ、前記各基板間に黒色塗料層が小黒点としてそれぞれ設けられていることを特徴とする。
【００１９】
請求項２の発明は、互いに重ね合わせられた光を透過可能な複数枚の基板間に黒色塗料層が小黒点として設けられ、前記基板及び黒色塗料層と同一の屈折率又は前記基板及び黒色塗料層と略同一の屈折率で且つ光を透過可能な接着剤により前記黒色塗料層の周囲が満たされていると共に前記各基板同士が接着固定されている眼科装置用黒点板であって、隣接する前記基板の一方に凹部が形成され、該凹部内に前記黒色塗料層が形成されていることを特徴とする。
【００２１】
請求項３の発明は、前記小黒点が設けられていない基板には特定波長の光をカットするフィルター板が用いられていることを特徴とする。
【００２２】
請求項４の発明は、照明光源からの照明光を穴あきミラーを介して被検眼に投影して前記被検眼を照明する照明系と、前記被検眼を撮影する光路中に設けられる撮影絞りを有する撮影系とを備え、前記照明系及び前記撮影系は被検眼と前記穴あきミラーとの間に配設された互いに共用する対物レンズを有し、前記照明系は小黒点が設けられた黒点板を有すると共に、前記対物レンズのレンズ面を反射面と考えたとき、前記撮影絞りの開口部の像が形成される位置と前記小黒点が前記反射面を介して共役に設けられて、前記撮影絞りの開口部の前記像が前記小黒点により覆われるようにした眼科装置において、前記黒点板は、互いに重ね合わせられて接着された少なくとも２枚の光が透過可能な基板と、前記少なくとも２枚の基板間に設けられた小黒点と、前記基板及び黒色塗料層と同一の屈折率又は前記基板及び黒色塗料層と略同一の屈折率であると共に光を透過可能で、且つ前記基板間及び小黒点の周囲を隙間なく満たして各基板同士を接着固定している接着剤とからなる眼科装置であって、前記小黒点は複数個設けられていると共に、前記複数の小黒点のうち前記照明光源に最も近い小黒点以外の小黒点を有する黒点板は、少なくとも２枚の前記基板と前記基板間に隙間なく設けられた小黒点とから構成されていることを特徴とする。
【００２４】
【発明の実施の形態】
以下、この発明の実施例を図１〜図７に基づいて説明する。
【００２５】
＜実施例１＞
図１〜図３はこの発明の一実施例を示したもので、図１は眼底カメラ（眼科装置）の光学系を示したものである。この図１において、１は眼底カメラの照明光学系（照明系）、２は眼底カメラの観察・撮影光学系（撮影系）、Ｅは被検眼である。
【００２６】
［照明光学系］
照明光学系１は、観察照明光学系と撮影照明光学系を有する。しかも、この照明光学系１は、図１中、ハロゲンランプ３（観察用照明光源），コンデンサーレンズ４，キセノンランプ５（撮影用照明光源），コンデンサレンズ６，リング状の透光部７を有するリング状絞り８，反射ミラー９，レンズ１０，黒点板１１，レンズ１２，穴あきミラー１３，対物レンズ１４等の光学部品をこの順に有する。そして、ハロゲンランプ３から対物レンズ１４までの光学部品は観察用照明光学系を構成し、キセノンランプ５から対物レンズ１４までの光学部品は撮影用照明光学系を構成している。図中、１３ａは穴あきミラー１３の中心孔である。
【００２７】
そして、キセノンランプ５からの撮影照明光は、撮影用光学系のコンデンサーレンズ６から対物レンズ１４までの光学部品を介して被検眼Ｅの眼底Ｅｆに投影される。しかも、コンデンサレンズ６とリング状絞り８との間には、可視蛍光用のエキサイタフィルターＥＦが挿脱可能に設けられている。
【００２８】
また、ハロゲンランプ３からの観察照明光はコンデンサレンズ４から対物レンズ１４までの光学部品を介して眼底Ｅｆに投影される。
【００２９】
［観察・撮影光学系］
観察・撮影光学系２は、電子観察・撮影光学系とフィルム撮影光学系を有する。
【００３０】
この電子観察・撮影光学系は、被検眼Ｅに臨む対物レンズ１４，撮影絞り１５合焦レンズ１６，結像レンズ１７，クイックリターンミラー１８，マスク１９，眼底Ｅｆと共役なフィールドレンズ２０，反射ミラー２１，リレーレンズ２２等を有する。しかも、撮影絞り１５と合焦レンズ１６との間には、蛍光撮影用のバリヤフィルターＢＦが挿脱可能に配設されている。
【００３１】
そして、被検眼Ｅの眼底Ｅｆからの反射光による眼底像が、対物レンズ１４から結像レンズ１７までの光学部品、及び、マスク１９，フィールドレンズ２０，反射ミラー２１，リレーレンズ２２を介してテレビカメラ２３のエリアＣＣＤ２３ａ（画像入力手段，撮像手段）に結像される。このテレビカメラ２３からの映像信号出力は制御回路２４を介してモニターテレビ２５に入力され、モニターテレビ２５に眼底像が映し出される。
【００３２】
また、フィルム撮影光学系は、被検眼Ｅに臨む対物レンズ１４，合焦レンズ１６，結像レンズ１７、マスクＭを有していて、クイックリターンミラー１８を破線のごとく撮影系の光路から外した状態で、被検眼からの光を３５ｍｍカメラのフィルムＦまで案内するようなっている。尚、この撮影系は、上述したように照明系と共有する対物レンズ１４を有している。
【００３３】
［黒点板１１］
ここで、対物レンズ１４の穴あきミラー１３側の表面（レンズ面）１４ａ，表面１４ａとは反対側の表面（レンズ面）を１４ｂとすると共に、撮影絞り１５を物点とし、且つ２つの面１４ａ，１４ｂを反射面としたときの前記撮影絞りと共役な位置を１４ｃ（面１４ａ，１４ｂ間の位置）として、対物レンズ１４と黒点板１１との位置関係を説明する。
【００３４】
この黒点板１１は、図１〜図３に示した様に互いに重ね合わせられた２枚の透明ガラス板（光が透過可能な基板）３０，３１を有する。この透明ガラス板３０の中央には図３（ｂ）の如くフォトエッチングにより形成した凹部３２が設けられ、この凹部３２内には黒色塗料を塗布することにより形成した小黒点３３（黒色塗料層）が設けられている。
【００３５】
透明ガラス板３１は、透明ガラス板３０の凹部３２側の面に接着剤３４（接着剤層）で接着され、透明ガラス板３０に設けた凹部３２の角部及び黒色塗料層３３と透明ガラス板３１との間に形成される間隙が接着剤３４で隙間なく満たされている。この接着剤３４は、透明ガラス板３０，３１及び黒色塗料層３３（黒色塗料）と同じか又は略同じ屈折率を有するものを用いている。
【００３６】
黒点板１１の小黒点３３は、撮影絞り１５の開口部１５ａを物点として対物レンズ１４の面１４ａによってできる像の位置１４ｃと共役に設けられている。これにより、小黒点３３の像が対物レンズ１４と共役な位置１４ｃに形成される。また、黒点板１１ａの小黒点は表面１４ｂに関して位置１４ｃと共役に設けられている。
【００３７】
これにより、撮影絞り１５の開口部１５ａの像が形成される位置と小黒点３３が反射面としての表面１４ａおよび１４ｂを介して共役に設けられて、撮影絞り１５の開口部１５ａの像が小黒点３３により覆われるようになっている。よって、黒点板１１は、対物レンズ１４の表面１４ａ及び１４ｂによって生ずるフレアやゴーストを除去することができる。
【００３８】
＜実施例２＞
以上説明した実施例では、透明ガラス板３０に凹部３２を設けて、この凹部３２内に小黒点３３を形成するようにした例を示したが、必ずしもこれに限定されるものではない。例えば、図４に示した様に、透明ガラス板３０の中央に黒色塗料層からなる小黒点３３´をフォトエッチングにより設けて、この小黒点３３´を透明ガラス板３０，３１間に位置させると共に、透明ガラス板３０，３１同士を透明な接着剤３４を介して互いに接着した構成としてもよい。
【００３９】
＜実施例３＞
対物レンズ１４の形状によっては、例えば、図５に示した（特公昭６１−９７号公報に開示されている）様に対物レンズ１４が複数枚のレンズからなる場合、複数個の黒点板が必要になる。
【００４０】
即ち、本実施例では、第１実施例の構成において、対物レンズ１４を正レンズ４０とメニスカスレンズ４１から構成すると共に、レンズ１０と黒点板１１との間に黒点板４２を配設した構成としている。尚、この黒点板４２は、図６（ａ）に示した様に、中央に凹部４３ａを有する透明ガラス板４３（基板）と、この凹部４３ａに設けた小黒点４４（黒色塗料層）から構成されている。
【００４１】
そして、黒点板４２が正レンズ４０の表面４０ａ，４０ｂとの間の位置４０ｃと共役に設けられていると共に、撮影絞り１５の開口１５ａを位置４０ｃと共役に設けられている。また、黒点板１１はメニスカスレンズ４１の表面４１ａと共役に設けられている。
【００４２】
本実施例によれば、対物レンズ１４側にある黒点板１１の小黒点３３のエッジの部分において、図６（ａ）に４５で示した様な散乱光が発生することがないので、この散乱光による強いフレアやゴーストが生ずるのを未然に防止できる。
【００４３】
尚、本実施例における黒点板４２を図６（ｂ）の如く黒点板４２に代えて、黒点板１１と４６を２つ配設した構成としても良い。尚、４７，４８は透明ガラス板（基板）、４９は透明ガラス板４７の中央に設けた凹部、５０は凹部４９に設けられた黒色塗料層からなる小黒点である。
【００４４】
＜実施例４＞
また、図５，図６（ａ）における黒点板１１，４２は、小黒点３３，４４が近い場合には図７に示した様に、一つの黒点板５０として形成することもできる。即ち、この黒点板５０は、順に積層された透明ガラス板５１，５２，５３（光が透過可能な基板）を有する。そして、透明ガラス板５１，５３の互いに対向する面の中央には凹部５１ａ，５３ａが形成され、この凹部５１ａ，５３ａには黒色塗料を塗布することにより形成した小黒点５１ｂ，５３ｂ（黒色塗料層）が設けられている。しかも、この透明ガラス板５１，５２，５３は上記実施例と同様に接着剤（図示せず）で互いに接着固定されている。
【００４５】
＜他の実施例＞
尚、上記実施例では、黒点板１１の基板として透明ガラス板３０，３１を用い、黒点板５０の基板として透明ガラス板５１，５２，５３を用いた例を示したが、黒点板１１，５０の基板としては必ずしも透明ガラス板に限定されるものではない。即ち、黒点板１１の基板である透明ガラス板３０，３１或は黒点板５０の透明ガラス板５１，５２，５３は、用途に応じてシャープカットフィルターや色温度変換フィルターなどの色硝子フィルターやプラスチックの基板に代えてもよい。
【００４６】
また、これらのシャープカットフィルターや色温度変換フィルターなどの色硝子フィルター等は高価である。故に、シャープカットフィルターや色温度変換フィルターなどの色硝子フィルター等を黒点板１１，５０等に設ける場合には、小黒点３３又は５１ｂ，５３ｂが設けられる基板としては透明ガラス板３０，５１，５３をそのまま用いるか、或は透明なプラスチック板を用いると共に、小黒点３３又は５１ｂ，５３ｂが設けられていない基板すなわち透明ガラス板３１，５２のみをシャープカットフィルターや色温度変換フィルターなどの色硝子フィルターに代えるとよい。これにより、小黒点３３，５１ｂ，５３ｂ等を加工するに際して、基板に加工不良が生じても、高価なフィルター等は小黒点加工不良により無駄になることはない。
【００４７】
【発明の効果】
以上説明したように、請求項１の発明のは、互いに重ね合わせられた光を透過可能な複数枚の基板間に黒色塗料層が小黒点として設けられ、前記基板及び黒色塗料層と同一の屈折率又は前記基板及び黒色塗料層と略同一の屈折率で且つ光を透過可能な接着剤により前記黒色塗料層の周囲が満たされていると共に前記各基板同士が接着固定されている眼科装置用黒点板であって、前記基板は３枚設けられ、前記各基板間に黒色塗料層が小黒点としてそれぞれ設けられている構成としたので、基板とこれらの間の接着剤との間の屈折率の差がなく、小黒点の周囲はこの接着剤で満たされることになり、フレヤーやゴーストの発生原因になる散乱光が各小黒点のエッジの部分で生じるのを確実に防止できる。
【００４９】
しかも、請求項１の発明は、前記基板は３枚設けられ、前記各基板間に黒色塗料層が小黒点としてそれぞれ設けられている構成としたので、小黒点を複数設けても、フレヤーやゴーストの発生原因になる散乱光が各小黒点のエッジの部分で生じることがない。
【００５０】
請求項２の発明は、互いに重ね合わせられた光を透過可能な複数枚の基板間に黒色塗料層が小黒点として設けられ、前記基板及び黒色塗料層と同一の屈折率又は前記基板及び黒色塗料層と略同一の屈折率で且つ光を透過可能な接着剤により前記黒色塗料層の周囲が満たされていると共に前記各基板同士が接着固定されている眼科装置用黒点板であって、隣接する前記基板の一方に凹部が形成され、該凹部内に前記黒色塗料層が形成されている構成としたので、フレヤーやゴーストの発生原因になる散乱光が各小黒点のエッジの部分で生じない黒点板を薄くできる。
【００５２】
請求項３の発明は、前記小黒点が設けられていない基板には特定波長の光をカットするフィルター板が用いられている構成としたので、この発明の黒点板を用いることにより眼科装置の照明光路に設けられるシャープカットフィルターや色温度変換フィルターなどの色硝子フィルターあるいはその他のフィルター等を省略でき、部品点数上有利となる。しかも、小黒点が設けられていない基板に特定波長の光をカットするフィルター板を用いたので、一方の基板に黒点板を設ける加工が失敗したとしても、この失敗により高価なフィルターが損害を受けることはないので、加工及び歩留りの点でも有利である。
【００５３】
請求項４の発明の眼科装置は、照明光源からの照明光を穴あきミラーを介して被検眼に投影して前記被検眼を照明する照明系と、前記被検眼を撮影する光路中に設けられる撮影絞りを有する撮影系とを備え、前記照明系及び前記撮影系は被検眼と前記穴あきミラーとの間に配設された互いに共用する対物レンズを有し、前記照明系は小黒点が設けられた黒点板を有すると共に、前記対物レンズのレンズ面を反射面と考えたとき、前記撮影絞りの開口部の像が形成される位置と前記小黒点が前記反射面を介して共役に設けられて、前記撮影絞りの開口部の前記像が前記小黒点により覆われるようにした眼科装置において、前記黒点板は、互いに重ね合わせられて接着された少なくとも２枚の光が透過可能な基板と、前記少なくとも２枚の基板間に設けられた小黒点と、前記基板及び黒色塗料層と同一の屈折率又は前記基板及び黒色塗料層と略同一の屈折率であると共に光を透過可能で、且つ前記基板間及び小黒点の周囲を隙間なく満たして各基板同士を接着固定している接着剤とからなる眼科装置であって、前記小黒点は複数個設けられていると共に、前記複数の小黒点のうち前記照明光源に最も近い小黒点以外の小黒点を有する黒点板は、少なくとも２枚の前記基板と前記基板間に隙間なく設けられた小黒点とから構成されている構成としたので、フレヤーやゴーストの発生原因になる散乱光や反射が黒点板の部分で生じるのを防止して、対物レンズの部分における表面反射によるフレヤーやゴーストの発生を未然に防止できる。
【００５４】
しかも、請求項４の発明は、前記小黒点は複数個設けられていると共に、前記複数の小黒点のうち前記照明光源に最も近い小黒点以外の小黒点を有する黒点板は、少なくとも２枚の前記基板と前記基板間に隙間なく設けられた小黒点とから構成されている構成としたので、フレヤーやゴーストの発生原因になる強い散乱光が生じ易い小黒点における散乱光の発生を確実に防止できる。
【図面の簡単な説明】
【図１】この発明にかかる眼科装置の一例を示す光学系を示す説明図である。
【図２】図１の要部拡大図である。
【図３】（ａ）は図１に示した黒点板の断面図、（ｂ）は（ａ）の要部拡大断面図である。
【図４】（ａ）は図１に示した黒点板の他の例を示す断面図、（ｂ）は図３（ａ）の要部拡大断面図である。
【図５】この発明の眼科装置の他の例を示す要部説明図である。
【図６】（ａ）は図５に示した黒点板の説明図、（ｂ）は図５（ａ）の変形例を示す説明図である。
【図７】この発明にかかる黒点板の他の例を示す説明図である。
【図８】（ａ）は従来の眼科装置に用いられている黒点板の一例を示す断面図、（ｂ）は図８（ａ）の要部拡大断面図である。
【図９】（ａ）は従来の眼科装置に用いられている黒点板の他の例を示す断面図、（ｂ）は図９（ａ）の要部拡大断面図である。
【図１０】従来の黒点板配置の他の例を示す説明図である。
【図１１】従来の黒点板配置の更に他の例を示す説明図である。
【符号の説明】
Ｅ…被検眼
１…照明光学系（照明系）
２…観察・撮影光学系（撮影系）
３…ハロゲンランプ（照明光源）
５…キセノンランプ（照明光源）
１１…黒点板
１３…穴あきミラー
１５…撮影絞り
１４…対物レンズ
１４ａ，１４ｂ…表面（反射面）
１４ｃ…共役な位置
１５ａ…開口部
３０，３１…透明ガラス板（基板）
３２…凹部
３３…小黒点
３４…接着剤
５０…黒点板
５１，５２，５３…透明ガラス板（基板）
５１ａ，５３ａ…凹部
５１ｂ，５３ｂ…小黒点
【図１】
0003576645.tif 000002
【図２】
0003576645.tif 000003
【図３】
0003576645.tif 000004
【図４】
0003576645.tif 000005
【図５】
0003576645.tif 000006
【図６】
0003576645.tif 000007
【図７】
0003576645.tif 000008
【図８】
0003576645.tif 000009
【図９】
0003576645.tif 000010
【図１０】
0003576645.tif 000011
【図１１】
0003576645.tif 000012